(57)【要約】【課題】  無線で信号を送受信する洗濯機において水、洗剤、ほこりなどの影響を受けずに十分な送受信性能を確保し、素子の劣化を防止する洗濯機を提供する。【解決手段】  洗濯機２４の洗濯機無線送受信部２７は無線通信装置２５と長波からミリ波を使用した無線で通信可能で、洗濯機無線送受信部２７を台枠部２８の内側壁面に設けたことにより、水、洗剤、ほこりの影響を受けずに、良好な送受信性能を確保し、素子の劣化を防止することが可能である。【選択図】  図２
2005066229.tif 000002
【特許請求の範囲】
【請求項１】
通信装置と長波からミリ波を使用した無線で送受信する無線送受信部を有する制御手段を備え、前記無線送受信部を台枠に設けた洗濯機。
【請求項２】
無線送受信部を台枠の内壁面に設けた請求項１記載の洗濯機。
【請求項３】
台枠に設けた無線送受信部を台枠の複数箇所に移設可能とした請求項１または２に記載の洗濯機。
【発明の詳細な説明】
【技術分野】
【０００１】
本発明は遠隔操作可能とした洗濯機に関するものである。
【背景技術】
【０００２】
従来、この種の洗濯機は、通信装置と赤外線で送受信する赤外線送受信部を有する制御手段を備え、前記赤外線送受信部を洗濯機の筐体正面に設け、赤外線を通信媒体とし、通信装置から信号を送って洗濯機の洗濯動作開始等の制御をおこなっていた（例えば、特許文献１参照）。
【０００３】
通信装置と赤外線で送受信する赤外線送受信部を有する制御手段を備え、前記赤外線送受信部を洗濯機の筐体正面に設け、赤外線を通信媒体とし、通信装置から信号を送って洗濯機の洗濯動作開始等の制御をおこなう洗濯機は図４〜図６に示すように構成していた。以下、この構成について説明する。
【０００４】
洗濯機１は、略長方体状に構成した筐体３を備えており、この筐体３の内部に、略円筒形に構成した水受け槽４を吊り棒５によって吊り下げ、この水受け槽４内に、略円筒形状に構成した洗濯兼脱水槽６を内包している。洗濯兼脱水槽６の底部には、攪拌翼７を垂直方向に沿った軸の回りに回転自在に設けている。筐体３は樹脂製の台枠１５に固定されている。
【０００５】
水受け槽４には、攪拌翼７を回転させるモータ８を設け、モータ８は、直流ブラシレスモータによって構成している。モータ８と攪拌翼７との間には、動力切換機構９を設け、この動力切換機構９は、洗濯時にはモータ８からの駆動力を減速して攪拌翼７へ伝達し、脱水時にはモータ８からの駆動力を１対１で洗濯兼脱水槽６へ伝達する。
【０００６】
水受け槽４の上には、散水用の吐出部を形成するカバー体１０を設けている。また、水受け槽４の上方に、洗濯兼脱水槽６内に水を給水する給水弁１１を設けている。水受け槽４の下方に、水受け槽４内の洗濯水を排水する排水弁１２を設けている。
【０００７】
また、水受け槽４の下部には接続部１３を設け、この接続部１３に水受け槽４の水位を検知する水位検知器１４を接続し、水位検知器１４は接続部１３における水圧を電気的な周波数に変換する。
【０００８】
モータ８は、制御部１６にあるインバータ回路（図示せず）によって駆動される。制御部１６は、給水弁１１、排水弁１２、動力変換機構９それぞれの駆動を制御する。
【０００９】
操作部２は、洗い時間、すすぎ回数、脱水時間などを入力する入力部１７と、入力部１７に入力された洗い時間、すすぎ回数、脱水時間などを表示する表示部１８とを有する。操作部２に設けられたスタート・一時停止スイッチ１９を押すと洗濯行程がスタートし、洗濯行程動作中は動作を一時停止することができる。
【００１０】
通信装置２０は通信装置赤外線送受信部２１を有し、洗濯機赤外線送受信部２３とで赤外線で通信可能である。通信装置２０の通信装置スタート・一時停止スイッチ２２を押すと洗濯行程がスタートし、洗濯行程動作中は動作を一時停止することができる。
【特許文献１】特開２００３−２１０８９０号公報
【発明の開示】
【発明が解決しようとする課題】
【００１１】
しかしながら、従来の遠隔操作可能とした洗濯機では、指向性の強い赤外線を通信媒体とすることから、通信装置と洗濯機のそれぞれの送受信部が向き合う様に配置する必要がある。そのため洗濯機の送受信部を上部の正面付近の外面に露出させる必要があり、水、洗剤、ほこりなどが付着し易く、それらの付着による受信障害や素子劣化を引き起こし易くなっていた。また乾燥機能付きの洗濯機の送受信部を上部付近に設ける場合、洗濯兼脱水槽の熱の影響で素子劣化を招く恐れもあった。
【００１２】
本発明は、前記従来の課題を解決するもので、洗濯機の送受信部を水、洗剤、ほこりなどの汚れが付着し易く乾燥時の熱の影響を受けやすい上部の正面の外面部以外に設け、なおかつ送受信性能を十分満足する最良の位置に取り付けて、良好な送受信を長期間安定しておこなうことができる洗濯機を提供することを目的とするものである。
【課題を解決するための手段】
【００１３】
前記従来の課題を解決するために、本発明の洗濯機は、通信装置と長波からミリ波を使用した無線で送受信する無線送受信部を有する制御手段を備え、前記無線送受信部を台枠に設けたものである。これにより通信装置と洗濯機のそれぞれの送受信部が向き合うように露出させて配置する必要がないため、水、洗剤、ほこりなどが付着し易く、乾燥時の熱の影響を受け易い洗濯機の上部の正面の外面に無線送受信部を設ける必要がなくなる。
【００１４】
また、台枠に設けた無線送受信部を台枠の複数箇所に移設可能としたもので、これにより受信の感度が悪い場合感度の良いところへ移動させて、最適な送受信を可能としたものである。
【発明の効果】
【００１５】
本発明の洗濯機は、通信装置と長波からミリ波を使用した無線で送受信する無線送受信部を有する制御手段を備え、前記無線送受信部を台枠に設けたものである。これにより水、洗剤、ほこりなどの汚れが付着し難く、乾燥時の熱の影響を受け難い台枠に無線送受信部を設けることにより、水、洗剤、ほこりなどの汚れの付着による受信障害を受けず、良好な送受信がおこなえるという効果が得られる。また水、洗剤、ほこりなどの汚れの付着や乾燥時の熱の影響による素子の劣化が起こり難いという効果も得られる。
【００１６】
さらに、台枠に設けた無線送受信部を台枠の複数箇所に移設可能としているので、受信の感度が悪い場合、感度の良いところへ移動させ最適な受信性能を得ることが可能となる。
【発明を実施するための最良の形態】
【００１７】
第１の発明は、通信装置と長波からミリ波を使用した無線で送受信する無線送受信部を有する制御手段を備え、前記無線送受信部を台枠に設けたもので、赤外線を使用した通信装置と洗濯機のそれぞれの送受信部のように、それぞれ向き合うよう洗濯機の上部の正面の外面に露出させて配置する必要なく、水、洗剤、ほこりなどの汚れが付着し難く、汚れの付着による受信障害や素子の劣化を起こり難くしている。また無線送受信部を台枠に設けたことで、乾燥機能付きの洗濯機の場合に特に問題となる洗濯兼脱水槽の熱の影響を受け難く素子劣化を防ぐことができる。
【００１８】
第２の発明は、第１の発明の洗濯機の無線送受信部を台枠の内壁面に設けたため、水、洗剤、ほこりなどの汚れが付着し難く乾燥時の熱の影響を受け難く良好な受信性能を得られ、素子劣化を防ぐ効果だけでなく、内壁面に設けることから物が当たって破損したり傷ついたりする恐れがなく、さらに外観デザイン上の配慮もしなくて良い。
【００１９】
第３の発明は、第１の発明または第２の発明の洗濯機の無線送受信部を台枠の複数箇所に移設可能としたので電波の受信状態が悪い場合には無線送受信部の位置を変えて良好な受信性能を得られるものである。
【００２０】
以下、本発明の実施の形態について、図面を参照しながら説明する。なお、この実施の形態によって本発明が限定されるものではない。
【００２１】
（実施の形態１）
図１は本発明の実施形態１における洗濯機の斜視図、図２は同洗濯機の側断面図である。なお、従来例と同じ構成のものは同一符号を付して説明を省略する。
【００２２】
図１および図２に示すように、洗濯機２４は無線通信装置２５と無線で信号を送受信可能としている。無線通信装置２５は無線通信装置送受信部２６で電波を送受信する。洗濯機無線送受信部２７は無線通信装置送受信部２６と電波で送受信し、台枠２８の内側壁面の固定穴にネジで固定してある。台枠２８は樹脂製で略直方体に構成されている。
【００２３】
信号の通信媒体には、従来の赤外線ではなく、搬送波周波数が３０ＫＨｚ〜３０ＧＨｚの長波〜ミリ波無線を使用する。特に、搬送波周波数が１００ＭＨｚ〜５００ＭＨｚの特定小電力無線と称される帯域を使用することが最も望ましい。
【００２４】
上記構成の洗濯機について、その動作、作用を説明する。洗濯機２４の制御部２９は洗濯行程の洗い、すすぎ、脱水、乾燥の各行程のうち現在進行中の行程の状態を信号として洗濯機無線送受信部２７から送信する。また全行程が終了した際には全行程が終了した状態信号を洗濯機無線送受信部２７から送信する。
【００２５】
無線通信装置２５では、無線通信装置送受信部２６で各状態信号の電波を受信し、表示画面２９に「洗い中」、「すすぎ中」、「脱水中」、「乾燥中」、「行程終了」のいずれかの表示を行うことができる。
【００２６】
また無線通信装置スタート・一時停止スイッチ３０を押すと無線通信装置２５の無線通信装置送受信部２６からスタート・一時停止を指示する無線の信号が送信され、洗濯機２４の洗濯機無線送受信部２７で前記無線の信号を受信し、制御部２９は洗濯機が停止中であれば洗濯行程を開始し、洗濯行程の動作中であれば洗濯の動作を一時停止する。
【００２７】
以上のように本実施の形態によれば、通信装置２５と洗濯機２４の通信を特定小電力無線を使用して行っていることから、通信装置２５の通信装置送受信部２６と通信する洗濯機無線送受信部２７を水、洗剤、ほこりなどの付着し難い台枠に取り付けることが可能となり、最適な送受信が可能となる。また洗濯機無線送受信部２７を台枠の内側壁面に取り付けたので物が当たって破損したり傷ついたりすることがなく、さらに外観デザイン上の配慮もしなくて良い。
【００２８】
また筐体３が板金で構成されている場合は無線電波が反射することにより受信性能を著しく悪化させるが、樹脂製の台枠に洗濯機無線送受信部２７を設けることは送受信性能を十分に確保することができる。
【００２９】
上記実施の形態においては一般的な洗濯機の例で説明したが、乾燥機付きの洗濯乾燥機においても同様の効果を得るものである。また洗濯機無線送受信部を上部付近に設けると洗濯兼脱水槽６の熱の影響で素子劣化を招く恐れがあるが、台枠２８に設けることによってこの影響を回避することが可能である。
【００３０】
（実施の形態２）
本発明の実施の形態２における洗濯機は、洗濯機無線送受信部２７を取り付ける台枠に初期に取り付けた位置と異なる位置にも取り付け部を一箇所以上複数箇所設けたものである。他の構成は上記実施の形態１と同じであり、詳細な説明は省略する。
【００３１】
図３に示すように、台枠３１の左内側面前方に洗濯機無線送受信部２７がネジ２本で固定されている。また左内側面後方に第２の取り付け穴部３１ａがある。同様に第３の取り付け穴部３１ｂ（図示せず）が右内側面前方に、第４の取り付け穴部３１ｃ（図示せず）が右内側面後方に、第５の取り付け穴部３１ｄ（図示せず）が前内側面中央に、第６の取り付け穴部３１ｅ（図示せず）が背内右側面中央に、それぞれ設けられている。
【００３２】
上記構成にて初期に取り付けられてあった位置で受信状況が悪い場合は、ネジ２本をはずして洗濯機無線送受信部２７を第２から第６の取り付け穴のいずれか１つに移設が可能である。このことは無線電波の反射、回折などで生じたヌル点、すなわち電波の局所減衰点を避けて電波の受信状態を改善するために必要である。この時、住宅において設置位置がほぼ決まっている洗濯機のヌル点回避は洗濯機無線送受信部の位置移動によるのが最も有効である。
【００３３】
上記実施の形態においては洗濯機無線送受信部２７をネジ２本で固定したが、これに限定されるものでなく、弾性を利用した樹脂クランパによる固定、あるいは構造的にはさみこむ構成にしても同様の効果を得るものである。
【産業上の利用可能性】
【００３４】
以上のように、本発明にかかる洗濯機は、通信装置と無線で送受信する無線送受信部を有する制御手段を備え、前記無線送受信部を台枠に設け、遠隔操作を行う通信媒体を赤外線ではなく無線を使用することにより、水、洗剤、ほこりなどの汚れの付着による受信障害を受けず、良好な送受信がおこなえるので、遠隔操作をおこなう洗濯機として有用であるだけでなく、水、洗剤を使用する食器洗い機などにも展開可能である。
【００３５】
また台枠に設けた無線送受信部を台枠の少なくとも１箇所以上に移設可能としていることから最適な受信性能を得ることが可能となるので、遠隔操作をおこなう洗濯機として有用であるだけでなく、無線電波の反射、回折によって生ずるヌル点対策として遠隔操作をする必要のある、ある程度重量物で住宅内で設置位置の固定される冷蔵庫、電子レンジ、エアコンなどにも利用可能である。
【図面の簡単な説明】
【００３６】
【図１】本発明の実施の形態１の洗濯機の斜視図
【図２】同洗濯機の側断面図
【図３】本発明の実施の形態２の洗濯機の側断面図
【図４】従来の同濯機の斜視図
【図５】同洗濯機の側断面図
【図６】同洗濯機の操作部の拡大正面図
【符号の説明】
【００３７】
２８、３１  台枠
２４  洗濯機
２７  洗濯機無線送受信部
２９  制御手段
【図１】
2005066229.tif 000003
【図２】
2005066229.tif 000004
【図３】
2005066229.tif 000005
【図４】
2005066229.tif 000006
【図５】
2005066229.tif 000007
【図６】
2005066229.tif 000008